(57)【要約】      （修正有）【課題】受信コイルの交換を容易に行う。【解決手段】ＭＲＩ装置１００の内壁に受信コイル取付手段６を設ける。受信コイル取付手段６は、受信コイルを支える受信コイル支持ケース６１と、受信コイル支持ケース６１をボア２１の外側、内側に自在に移動させるためのガイドレール６２とを有している。オペレータ７がボタン２Ａを押すことにより、受信コイル支持ケース６１がガイドレール６２に沿って前方に移動し、ボア２１の外側に搬出される。オペレータ７は、受信コイル支持ケース６１に受信コイルを設置し、受信コイルを、ボア２１の内側に搬送する。【選択図】図３
2011206230.tif 000002
【特許請求の範囲】
【請求項１】
被検体が収容される収容空間を有する磁場発生装置と、
前記収容空間の内壁に設けられ、受信コイルを前記収容空間の内側に着脱自在に取り付ける受信コイル取付手段と、
を有する磁気共鳴イメージング装置。
【請求項２】
前記受信コイル取付手段は、
前記受信コイルを着脱自在に支持する受信コイル支持部と、
前記受信コイル支持部を前記収容空間の内側から外側に搬出するためのガイドレールと、
を有する、請求項１に記載の磁気共鳴イメージング装置。
【請求項３】
前記受信器コイル取付手段は、
前記受信コイル支持部を下方に移動させるための移動機構を有する、請求項２に記載の磁気共鳴イメージング装置。
【請求項４】
被検体が収容される収容空間を有する磁場発生装置を備えた磁気共鳴イメージング装置であって、
前記磁場発生装置は、受信コイルを着脱自在に内蔵することができるように構成されている、磁気共鳴イメージング装置。
【請求項５】
前記受信コイルを前磁場発生装置に着脱自在に内蔵する受信コイル取付手段を有する、請求項４に記載の磁気共鳴イメージング装置。
【請求項６】
前記受信コイル取付手段は、
前記収容空間の内壁の裏側に設けられている、請求項５に記載の磁気共鳴イメージング装置。
【請求項７】
前記受信コイル取付手段は、
前記受信コイルを着脱自在に支持する受信コイル支持部と、
前記受信コイル支持部を前記磁場発生装置の内側から外側に搬出するためのガイドレールと、
を有する、請求項５又は６に記載の磁気共鳴イメージング装置。
【請求項８】
前記磁場発生装置の所定の部分に着脱自在に連結可能なテーブルを有し、
前記受信コイル支持部は、前記磁場発生装置の前記所定の部分から搬出される、請求項７に記載の磁気共鳴イメージング装置。
【請求項９】
前記磁場発生装置は、
被検体を前記収容空間に搬送するためのクレードルと、
前記クレードルを支持するクレードル支持部材と、
を有し、
前記クレードル支持部材は、前記受信コイルが装入される受信コイル装入部を有する、請求項４に記載の磁気共鳴イメージング装置。
【請求項１０】
前記磁場発生装置は、
前記受信クレードル支持部材を摺動させるための摺動面を有する、請求項９に記載の磁気共鳴イメージング装置。
【請求項１１】
受信コイルを着脱自在に収容する受信コイル収容部材と、
前記受信コイル収容部材を前記クレードル支持部材の上部に保持するための保持部材と、
を有する、請求項９又は１０に記載の磁気共鳴イメージング装置。
【請求項１２】
前記磁気共鳴イメージング装置は、トンネル型、又はオープン型である、請求項１〜１１のうちのいずれか一項に記載の磁気共鳴イメージング装置。
【発明の詳細な説明】
【技術分野】
【０００１】
本発明は、受信コイルを用いて磁気共鳴信号を受信する磁気共鳴イメージング装置に関する。
【背景技術】
【０００２】
従来より、磁気共鳴イメージング装置を用いて被検体を撮影する場合に使用される受信コイルとして、種々の表面コイルが知られている（特許文献１参照）。
【先行技術文献】
【特許文献】
【０００３】
【特許文献１】特開2008-154933号公報
【発明の概要】
【発明が解決しようとする課題】
【０００４】
しかし、表面コイルを用いて撮影する場合、一般的には、撮影技師が、スキャン前に被検体に表面コイルを装着し、スキャンが終了したら被検体から表面コイルを取り外す必要がある。したがって、被検体を撮影するときのワークフローを手際よく進める上での障害になっている。ワークフローを改善する手法として、コイルが埋め込まれた磁気共鳴イメージング装置が提案されているが、局所撮影をする場合、埋め込まれたコイルが必ずしも最適ではないことがある。
したがって、上記の問題を解消することが望まれる。
【課題を解決するための手段】
【０００５】
被検体が収容される収容空間を有する磁場発生装置と、
前記収容空間の内壁に設けられ、受信コイルを前記収容空間の内側に着脱自在に取り付ける受信コイル取付手段と、を有する磁気共鳴イメージング装置。
被検体が収容される収容空間を有する磁場発生装置を備えた磁気共鳴イメージング装置であって、
前記磁場発生装置は、受信コイルを着脱自在に内蔵することができるように構成されている磁気共鳴イメージング装置。
【発明の効果】
【０００６】
受信コイルを着脱自在に取り付ける（又は内蔵する）ので、受信コイルの交換を容易に行うことができる。
【図面の簡単な説明】
【０００７】
【図１】第１の実施形態のＭＲＩ装置１００の斜視図である。
【図２】図１のＭＲＩ装置１００を示し、図２（ａ）は、正面図、図２（ｂ）は、磁場発生装置２を透視して見たときのＭＲＩ装置１００の側面図、図２（ｃ）は、磁場発生装置２を透視して見たときのＭＲＩ装置１００の上面図である。
【図３】受信コイル支持ケース６１をボア２１の外側に搬出したときのＭＲＩ装置１００の斜視図である。
【図４】図３に示すＭＲＩ装置１００を示し、図４（ａ）は、磁場発生装置２を透視して見たときの上面図、図４（ｂ）は、磁場発生装置２を透視して見たときの側面図である。
【図５】受信コイル支持ケース６１に受信コイルが設置された状態のＭＲＩ装置１００の斜視図である。
【図６】図５に示すＭＲＩ装置１００を示し、図６（ａ）は、磁場発生装置２を透視して見たときの上面図、図６（ｂ）は、磁場発生装置２を透視して見たときの側面図である。
【図７】受信コイル支持ケース６１が元の位置に戻ったときのＭＲＩ装置１００の斜視図である。
【図８】図８は、図７に示すＭＲＩ装置１００を示し、図８（ａ）は、磁場発生装置２を透視して見たときの上面図、図８（ｂ）は、磁場発生装置２を透視して見たときの側面図である。
【図９】被検体８がボア２１内に搬入された状態のＭＲＩ装置１００の斜視図である。
【図１０】図９に示すＭＲＩ装置１００を示し、図１０（ａ）は、磁場発生装置２を透視して見たときの上面図、図１０（ｂ）は、磁場発生装置２を透視して見たときの側面図である。
【図１１】受信コイル支持ケース６１に設置した受信コイル５１を、新たに選択した別の受信コイルに交換するときの説明図である。
【図１２】受信コイル取付手段６に、受信コイル支持ケース６１を下方に移動させるための移動機構６３を備えたときの一例を示す図である。
【図１３】第２の実施形態におけるＭＲＩ装置２００の斜視図である。
【図１４】図１３に示すＭＲＩ装置２００を示し、図１４（ａ）は、磁場発生装置２を透視して見たときの上面図、図１４（ｂ）は、磁場発生装置２を透視して見たときの側面図である。
【図１５】受信コイル支持ケース６１が磁場発生装置２の外側に搬出されたときのＭＲＩ装置２００の斜視図である。
【図１６】図１５に示すＭＲＩ装置２００を示し、図１６（ａ）は、磁場発生装置２を透視して見たときの上面図、図１６（ｂ）は、磁場発生装置２を透視して見たときの側面図である。
【図１７】受信コイル支持ケース６１に受信コイルが設置された状態のＭＲＩ装置２００の斜視図である。
【図１８】受信コイル支持ケース６１が元の位置に戻ったときのＭＲＩ装置２００の斜視図である。
【図１９】図１８に示すＭＲＩ装置２００を示し、図１９（ａ）は、磁場発生装置２を透視して見たときの上面図、図１９（ｂ）は、磁場発生装置２を透視して見たときの側面図である。
【図２０】第３の実施形態におけるＭＲＩ装置３００の斜視図である。
【図２１】図２０に示すＭＲＩ装置３００を示し、図２１（ａ）は、磁場発生装置２を透視して見たときの上面図、図２１（ｂ）は、磁場発生装置２を透視して見たときの側面図である。
【図２２】テーブル３が磁場発生装置２から取り外された状態のＭＲＩ装置３００を示す図である。
【図２３】受信コイル支持ケース６０１が磁場発生装置２の外側に搬出されたときのＭＲＩ装置３００の斜視図である。
【図２４】受信コイル支持ケース６０１に受信コイルが設置された状態のＭＲＩ装置３００の斜視図である。
【図２５】受信コイル支持ケース６０１が元の位置に戻ったときのＭＲＩ装置３００の斜視図である。
【図２６】図２５に示すＭＲＩ装置３００を示し、図２６（ａ）は、磁場発生装置２を透視して見たときの上面図、図２６（ｂ）は、磁場発生装置２を透視して見たときの側面図である。
【図２７】テーブル３を磁場発生装置２に連結した後のＭＲＩ装置３００を示す図である。
【図２８】第４の実施形態におけるＭＲＩ装置４００の斜視図である。
【図２９】図２８に示すＭＲＩ装置４００を示し、図２９（ａ）は、磁場発生装置２を透視して見たときの上面図、図２９（ｂ）は、磁場発生装置２を透視して見たときの側面図である。
【図３０】クレードル支持部材２５がボア２１の外側に引き出された状態のＭＲＩ装置４００の斜視図である。
【図３１】図３０に示すＭＲＩ装置４００を示し、図３１（ａ）は、磁場発生装置２を透視して見たときの上面図、図３１（ｂ）は、磁場発生装置２を透視して見たときの側面図である。
【図３２】オペレータ７が受信コイルを受信コイル装入部２６に装入している途中のＭＲＩ装置４００の斜視図である。
【図３３】受信コイルを受信コイル装入部２６に装入し終わったときのＭＲＩ装置４００の斜視図である。
【図３４】クレードル支持部材２５をボア２１の内側に戻したときのＭＲＩ装置４００の斜視図である。
【図３５】図３４に示すＭＲＩ装置４００を示し、図３５（ａ）は、磁場発生装置２を透視して見たときの上面図、図３５（ｂ）は、磁場発生装置２を透視して見たときの側面図である。
【図３６】第５の実施形態のＭＲＩ装置５００の斜視図である。
【図３７】図３６のＭＲＩ装置５００を示し、図３６（ａ）は、磁場発生装置２を透視して見たときの上面図、図３６（ｂ）は、磁場発生装置２を透視して見たときの側面図である。
【図３８】クレードル支持部材２５および受信コイル収容部材２８がボア２１の外側に引き出された状態のＭＲＩ装置５００の斜視図である。
【図３９】図３８に示すＭＲＩ装置５００を示し、図３９（ａ）は、磁場発生装置２を透視して見たときの上面図、図３９（ｂ）は、磁場発生装置２を透視して見たときの側面図である。
【図４０】受信コイルが装入されたＭＲＩ装置５００の斜視図である。
【図４１】クレードル支持部材２５および受信コイル収容部材２８がボア２１の内側に戻ったときのＭＲＩ装置５００の斜視図である。
【図４２】図４１に示すＭＲＩ装置５００を示し、図４２（ａ）は、磁場発生装置２を透視して見たときの上面図、図４２（ｂ）は、磁場発生装置２を透視して見たときの側面図である。
【図４３】第６の実施形態のＭＲＩ装置６００を示す斜視図である。
【図４４】図４３のＭＲＩ装置６００を示し、図４４（ａ）は、正面図、図４４（ｂ）は、側面図、図４４（ｃ）は、磁場発生装置２の上部本体２０２を透視して見たときのＭＲＩ装置６００の上面図である。
【発明を実施するための形態】
【０００８】
以下、本発明の磁気共鳴イメージング装置（以下、「ＭＲＩ装置」と呼ぶ。ＭＲＩ：Magnetic
Resonance Imaging）の実施形態について説明するが、本発明は、以下の実施形態に限定されることは無い。
【０００９】
（１）第１の実施形態
図１は、第１の実施形態のＭＲＩ装置１００の斜視図である。図２は、図１のＭＲＩ装置１００を示し、図２（ａ）は、正面図、図２（ｂ）は、磁場発生装置２を透視して見たときのＭＲＩ装置１００の側面図、図２（ｃ）は、磁場発生装置２を透視して見たときのＭＲＩ装置１００の上面図である。
【００１０】
ＭＲＩ装置１００は、トンネル型のＭＲＩ装置である。ＭＲＩ装置１００は、磁場発生装置２、テーブル３、クレードル４などを有している。
【００１１】
磁場発生装置２は、被検体が収容されるボア（収容空間）２１を有している。また、磁場発生装置２には、超伝導コイル、勾配コイル、送信コイル（図示せず）が内蔵されている。超伝導コイルは静磁場Ｂ0を印加し、勾配コイルは勾配磁場を印加する。また、送信コイルはＲＦパルスを送信する。尚、超伝導コイルの代わりに、永久磁石を用いてもよい。
【００１２】
クレードル４は、テーブル３からボア２１に移動できるように構成されている。クレードル４によって、被検体はボア２１に搬送される。
【００１３】
また、第１の実施形態では、磁気共鳴信号を受信するための複数の受信コイル５１〜５ｚが用意されている。第１の実施形態では、オペレータ７は、複数の受信コイル５１〜５ｚの中から、被検体の撮影に適した受信コイルを選択し、選択した受信コイルを、受信コイル取付手段６を用いて、ボア２１の内側の所定の位置に着脱自在に取り付けることができる。以下に、受信コイル取付手段６について説明する。
【００１４】
受信コイル取付手段６は、受信コイルを支える受信コイル支持ケース６１と、受信コイル支持ケース６１をボア２１の外側、内側に自在に移動させるためのガイドレール６２とを有している。
【００１５】
ガイドレール６２は、ボア２１の内壁の上面２２ａに固定されており（図２（ａ）参照）、受信コイル支持ケース６１は、ガイドレール６２に連結されている。受信コイル支持ケース６１は、磁場中心ＭＣの真上であって、ボア２１の内壁の上面２２ａの近くに位置している。
【００１６】
図１および図２では、受信コイル支持ケース６１は、ボア２１の内側に位置しているが、オペレータ７は、磁場発生装置２の前面に設けられたボタン２Ａを押すことによって、受信コイル支持ケース６１をボア２１の外側に搬出することができる（図３および図４参照）。
【００１７】
図３は、受信コイル支持ケース６１をボア２１の外側に搬出したときのＭＲＩ装置１００の斜視図である。図４は、図３に示すＭＲＩ装置１００を示し、図４（ａ）は、磁場発生装置２を透視して見たときの上面図、図４（ｂ）は、磁場発生装置２を透視して見たときの側面図である。
【００１８】
ガイドレール６２は、受信コイル支持ケース６１をボア２１の外側に搬出するための補助レール７ａを備えている。オペレータ７がボタン２Ａを押すと、受信コイル支持ケース６１はガイドレール６２に沿って前方に移動し、更に、補助レール７ａによって、ボア２１の外側に搬出することができる。
【００１９】
受信コイル支持ケース６１は、複数の受信コイル５１〜５ｚのうちの任意の１個の受信コイルを収容できるスペースを有している。したがって、オペレータ７は、複数の受信コイル５１〜５ｚの中から選択した受信コイルを、受信コイル支持ケース６１に設置することができる（図５および図６参照）。
【００２０】
図５は、受信コイル支持ケース６１に受信コイルが設置された状態のＭＲＩ装置１００の斜視図である。図６は、図５に示すＭＲＩ装置１００を示し、図６（ａ）は、磁場発生装置２を透視して見たときの上面図、図６（ｂ）は、磁場発生装置２を透視して見たときの側面図である。
【００２１】
ここでは、オペレータ７は、複数の受信コイル５１〜５ｚの中から受信コイル５１を選択したとする。オペレータ７は、選択した受信コイル５１を受信コイル支持ケース６１に設置する。尚、受信コイル支持ケース６１は、受信コイルを着脱自在に設置できるように構成されている。したがって、オペレータ７は、誤って、受信コイル支持ケース６１に別の受信コイルを設置しても、正しい受信コイルに容易に交換することができる。
【００２２】
受信コイル支持ケース６１はボア２１の外側に搬出されているので、オペレータ７は、受信コイル５１を受信コイル支持ケース６１に容易に設置することができる。受信コイル５１を設置した後、オペレータ７はボタン２Ａを押す。オペレータ７がボタン２Ａを押すと、受信コイル支持ケース６１は、ガイドレール６２に沿って後方に移動する。したがって、受信コイル支持ケース６１は、ボア２１の内側に搬入され、元の位置に戻る（図７および図８参照）。
【００２３】
図７は、受信コイル支持ケース６１が元の位置に戻ったときのＭＲＩ装置１００の斜視図である。図８は、図７に示すＭＲＩ装置１００を示し、図８（ａ）は、磁場発生装置２を透視して見たときの上面図、図８（ｂ）は、磁場発生装置２を透視して見たときの側面図である。
【００２４】
受信コイル支持ケース６１がボア２１の内側に搬入されると、受信コイル支持ケース６１は、磁場中心ＭＣの真上であって、ボア２１の内壁の上面２２ａに近い元の位置に戻る。したがって、受信コイル５１を、磁場中心ＭＣの真上であって、ボア２１の内壁の上面２２ａの近くに取り付けることができる。
【００２５】
オペレータ７は、受信コイル５１を取り付けた後、被検体をクレードル４に寝かせ、ボア２１内に搬入する（図９および図１０参照）。
【００２６】
図９は、被検体８がボア２１内に搬入された状態のＭＲＩ装置１００の斜視図である。図１０は、図９に示すＭＲＩ装置１００を示し、図１０（ａ）は、磁場発生装置２を透視して見たときの上面図、図１０（ｂ）は、磁場発生装置２を透視して見たときの側面図である。
【００２７】
図９および図１０では、被検体８の撮影部位が頭部８ａの場合の例が示されている。この場合、被検体８は、頭部８ａが磁場中心ＭＣに位置するように搬入される。したがって、頭部８ａを受信コイル５１の近くに位置決めすることができる。被検体８を搬入した後、被検体８をスキャンする。頭部８ａは受信コイル５１の近くに位置決めされているので、高品質な画像を得ることができる。被検体８のスキャンを終了したら、被検体８をボア２１から搬出し、次の被検体を撮影する準備をする。
【００２８】
オペレータ７は、複数の受信コイル５１〜５ｚ（図１参照）の中から、次の被検体の撮影に使用する受信コイルを選択する。次の被検体の撮影でも受信コイル５１を使用する場合、受信コイル５１は既に受信コイル支持ケース６１に設置されているので、オペレータ７は、次の被検体をクレードル４に寝かせてボア２１内に搬送し、スキャンを行う。
【００２９】
一方、オペレータ７が、受信コイル５１とは別の受信コイルを選択した場合、オペレータ７は、受信コイル支持ケース６１に設置した受信コイル５１を、新たに選択した別の受信コイルに交換する（図１１参照）。
【００３０】
図１１は、受信コイル支持ケース６１に設置した受信コイル５１を、新たに選択した別の受信コイルに交換するときの説明図である。
【００３１】
オペレータ７がボタン２Ａを押すと、受信コイル支持ケース６１がガイドレール６２に沿って移動し、受信コイル５１が、ボア２１の外側に搬出される。したがって、オペレータ７は、受信コイル５１を受信コイル支持ケース６１から容易に取り外すことができる。オペレータ７は、受信コイル５１を取り外した後、別の受信コイル（例えば、受信コイル５２）を、受信コイル支持ケース６１に設置する。別の受信コイルを設置した後、オペレータ７はボタン２Ａを押す。オペレータ７がボタン２Ａを押すと、受信コイル支持ケース６１は再びボア２１の内側に移動するので、別の受信コイルを、ボア２１の内側に搬入することができる。このようにして受信コイルを交換することができる。受信コイルを交換した後、オペレータ７は、次の被検体をクレードル４に寝かせてボア２１に搬入し、スキャンを行う。スキャンが終了したら、必要に応じて受信コイルを交換し、次のスキャンが行われる。
【００３２】
第１の実施形態では、受信コイル取付手段６によって、各受信コイル５１〜５ｚを、ボア２１の内壁の上面２１側に着脱自在に取り付けることができる。したがって、受信コイル５１〜５ｚの中から各撮影に適した受信コイルを選択して撮影することができ、また、受信コイルの交換も容易に行うことができる。
【００３３】
また、第１の実施形態では、受信コイル支持ケース６１をボア２１の外側に搬出させることができる。したがって、オペレータ７は、受信コイルの交換を容易に行うことができる。
【００３４】
尚、第１の実施形態では、受信コイル取付手段６は、受信コイル支持ケース６１をボア２１の外側、内側に自在に移動させることができるように構成されているが、更に、受信コイル支持ケース６１を下方に移動させることができるように構成してもよい（図１２参照）。
【００３５】
図１２は、受信コイル取付手段６に、受信コイル支持ケース６１を下方に移動させるための移動機構６３を備えたときの一例を示す図である。
【００３６】
図１２（ａ）は、受信コイル支持ケース６１を下方に移動させる前の図であり、図１２（ｂ）は、受信コイル支持ケース６１を下方に移動させた後の図である。
【００３７】
受信コイル支持ケース６１を下方に移動させることにより、受信コイル５１を、Δｙだけ被検体８に近づけることができる。したがって、被検体８の体格に合わせて、受信コイル５１をできるだけ被検体８に近づけることができるので、更に高品質なＭＲ画像を取得することが可能となる。
【００３８】
尚、第１の実施形態では、受信コイル取付手段６は、ボア２１の内壁の上面２１に設けられているが、受信コイル取付手段６を、ボア２１の内壁の側面２３など、上面２１とは異なる別の面に取り付けてもよい。
【００３９】
また、第１の実施形態では、受信コイル支持ケース６１は、１個の受信コイルを支えるスペースを有しているが、複数個の受信コイルを支えるスペースを有していてもよい。
【００４０】
（２）第２の実施形態
第１の実施形態では、受信コイル取付手段６は、ボア２１の内壁に設けられているが、第２の実施形態では、受信コイル取付手段６を磁場発生装置２に内蔵した一例を説明する。
【００４１】
図１３は、第２の実施形態におけるＭＲＩ装置２００の斜視図である。図１４は、図１３に示すＭＲＩ装置２００を示し、図１４（ａ）は、磁場発生装置２を透視して見たときの上面図、図１４（ｂ）は、磁場発生装置２を透視して見たときの側面図である。
【００４２】
第２の実施形態のＭＲＩ装置２００では、受信コイル取付手段６は、ボア２１の内壁の上面２２ａの裏側に内蔵されている。受信コイル支持ケース６１は、磁場中心ＭＣの真上に位置している。また、磁場発生装置２の前面には、受信コイル取付手段６の受信コイル支持ケース６１を磁場発生装置２の外側に搬出することができるようにするための開閉扉２３が設けられている。オペレータ７がボタン２Ａを押すと、開閉扉２３が開き、受信コイル支持ケース６１がガイドレール６２に沿って移動し、磁場発生装置２の外側に搬出される（図１５および図１６参照）。
【００４３】
図１５は、受信コイル支持ケース６１が磁場発生装置２の外側に搬出されたときのＭＲＩ装置２００の斜視図である。図１６は、図１５に示すＭＲＩ装置２００を示し、図１６（ａ）は、磁場発生装置２を透視して見たときの上面図、図１６（ｂ）は、磁場発生装置２を透視して見たときの側面図である。
【００４４】
オペレータ７がボタン２Ａを押すことにより、開閉扉２３が開き、受信コイル支持ケース６１が磁場発生装置２の外側に搬出される。したがって、オペレータ７は、複数の受信コイル５１〜５ｚの中から選択した受信コイルを、受信コイル支持ケース６１に容易に設置することができる（図１７参照）。
【００４５】
図１７は、受信コイル支持ケース６１に受信コイルが設置された状態のＭＲＩ装置２００の斜視図である。
【００４６】
ここでは、オペレータ７は、複数の受信コイル５１〜５ｚの中から受信コイル５１を選択したとする。オペレータ７は、選択した受信コイル５１を受信コイル支持ケース６１に設置する。尚、受信コイル支持ケース６１は、受信コイルを着脱自在に設置できるように構成されている。したがって、オペレータ７は、誤って、受信コイル支持ケース６１に別の受信コイルを設置しても、正しい受信コイルに容易に交換することができる。
【００４７】
受信コイル支持ケース６１はボア２１の外側に搬出されているので、オペレータ７は、受信コイル５１を受信コイル支持ケース６１に容易に設置することができる。受信コイル５１を設置した後、オペレータ７はボタン２Ａを押す。オペレータ７がボタン２Ａを押すと、受信コイル支持ケース６１は、ガイドレール６２に沿って後方に移動する。したがって、受信コイル支持ケース６１は、ボア２１の内壁の裏側に搬入され、元の位置に戻る（図１８および図１９参照）。
【００４８】
図１８は、受信コイル支持ケース６１が元の位置に戻ったときのＭＲＩ装置２００の斜視図である。図１９は、図１８に示すＭＲＩ装置２００を示し、図１９（ａ）は、磁場発生装置２を透視して見たときの上面図、図１９（ｂ）は、磁場発生装置２を透視して見たときの側面図である。
【００４９】
受信コイル支持ケース６１が磁場発生装置２の内壁の裏側に搬入されると、受信コイル支持ケース６１は、磁場中心ＭＣの真上に戻る。したがって、受信コイル５１を、磁場中心ＭＣの近くに取り付けることができ、高品質な画像を得ることができる。また、受信コイルを磁場発生装置２に着脱自在に内蔵することができるので、受信コイルを容易に交換することができる。
【００５０】
（３）第３の実施形態
第２の実施形態では、磁場発生装置２のボア２１の内壁の上面２２ａの裏側に受信コイル取付手段６が設けられているが、第３の実施形態では、磁場発生装置２のボア２１の内壁の下面２２ｂの裏側に受信コイル取付手段が設けられている例について説明する。
【００５１】
図２０は、第３の実施形態におけるＭＲＩ装置３００の斜視図である。図２１は、図２０に示すＭＲＩ装置３００を示し、図２１（ａ）は、磁場発生装置２を透視して見たときの上面図、図２１（ｂ）は、磁場発生装置２を透視して見たときの側面図である。
【００５２】
ＭＲＩ装置３００は、磁場発生装置２、テーブル３、クレードル４などを有している。
【００５３】
磁場発生装置２には、受信コイル取付手段６０が内蔵されている。受信コイル取付手段６０は、磁場発生装置２のボア２１の内壁の下面２２ｂの裏側に設けられている。受信コイル取付手段６０は、受信コイルを支える受信コイル支持ケース６０１と、受信コイル支持ケース６０１を移動させるためのガイドレール６０２とを有しており、受信コイル支持ケース６０１は、磁場中心ＭＣの真下に位置している。
【００５４】
第３の実施形態では、複数の受信コイル５０１〜５０ｚが用意されている。受信コイル支持ケース６０１は、複数の受信コイル５０１〜５０ｚのうちの任意の１個の受信コイルを支えることができるスペースを有している。したがって、オペレータは、複数の受信コイル５０１〜５０ｚの中から選択した１個の受信コイルを、受信コイル支持ケース６０１に設置することができる。以下に、オペレータ７が、受信コイルを受信コイル支持ケース６０１に設置する手順について説明する。
【００５５】
第３の実施形態では、テーブル３は、磁場発生装置２から取り外すことができるように構成されている（図２２参照）。
【００５６】
図２２は、テーブル３が磁場発生装置２から取り外された状態のＭＲＩ装置３００を示す図である。
【００５７】
テーブル３は、磁場発生装置２の前面に着脱自在に連結可能に構成されている。オペレータ７がテーブル３の手すり３ａを握ってテーブル３を引っ張ると、テーブル３を磁場発生装置２から取り外すことができる。磁場発生装置２は、テーブル３が連結される部分に、受信コイル支持ケース６０１を磁場発生装置２の外側に搬出することができるようにするための開閉扉２４が設けられている。オペレータ７がボタン２Ａを押すと、開閉扉２４が開き、受信コイル支持ケース６０１がガイドレール６０２に沿って移動し、磁場発生装置２の外側に搬出される（図２３参照）。
【００５８】
図２３は、受信コイル支持ケース６０１が磁場発生装置２の外側に搬出されたときのＭＲＩ装置３００の斜視図である。
【００５９】
オペレータ７がボタン２Ａを押すことにより、開閉扉２４が開き、受信コイル支持ケース６０１が磁場発生装置２の外側に搬出される。したがって、オペレータ７は、複数の受信コイル５０１〜５０ｚの中から選択した受信コイルを、受信コイル支持ケース６１に容易に設置することができる（図２４参照）。
【００６０】
図２４は、受信コイル支持ケース６０１に受信コイルが設置された状態のＭＲＩ装置３００の斜視図である。
【００６１】
ここでは、オペレータ７は、複数の受信コイル５０１〜５０ｚの中から受信コイル５０１を選択したとする。オペレータ７は、選択した受信コイル５０１を受信コイル支持ケース６０１に設置する。尚、受信コイル支持ケース６０１は、受信コイルを着脱自在に設置できるように構成されている。したがって、オペレータ７は、誤って、受信コイル支持ケース６０１に別の受信コイルを設置しても、正しい受信コイルに容易に交換することができる。
【００６２】
受信コイル支持ケース６０１はボア２１の外側に搬出されているので、オペレータ７は、受信コイル５０１を受信コイル支持ケース６０１に容易に設置することができる。受信コイル５０１を設置した後、オペレータ７はボタン２Ａを押す。オペレータ７がボタン２Ａを押すと、受信コイル支持ケース６０１は、ガイドレール６０２に沿って後方に移動する。したがって、受信コイル支持ケース６０１は、ボア２１の内壁の裏側に搬入され、元の位置に戻る（図２５および図２６参照）。
【００６３】
図２５は、受信コイル支持ケース６０１が元の位置に戻ったときのＭＲＩ装置３００の斜視図である。図２６は、図２５に示すＭＲＩ装置３００を示し、図２６（ａ）は、磁場発生装置２を透視して見たときの上面図、図２６（ｂ）は、磁場発生装置２を透視して見たときの側面図である。
【００６４】
受信コイル支持ケース６０１が磁場発生装置２の内壁の裏側に搬入されると、開閉扉２４が閉じる。したがって、受信コイル５０１を磁場発生装置２に内蔵することができる。受信コイル支持ケース６０１は磁場中心ＭＣの真下に戻るので、受信コイル５０１を、磁場中心ＭＣの近くに取り付けることができ、高品質な画像を得ることができる。また、受信コイルを磁場発生装置２に着脱自在に内蔵することができるので、受信コイルを容易に交換することができる。
【００６５】
オペレータ７は、受信コイル５０１を磁場発生装置２に取り付けた後、テーブル３を磁場発生装置２に連結する（図２７参照）。
【００６６】
図２７は、テーブル３を磁場発生装置２に連結した後のＭＲＩ装置３００を示す図である。
【００６７】
オペレータ７は、テーブル３の手すり３ａを握ってテーブル３を磁場発生装置２に向けて押し、テーブル３を磁場発生装置２に連結する。その後、オペレータ７は、被検体をクレードル４に寝かせ、ボア２１に搬送し、撮影を行う。
【００６８】
このように、受信コイル取付手段６０をボア２１の内壁の下面２２ｂの裏側に設け、受信コイルをボア２１の内壁の下面２２ｂの裏側に着脱自在に内蔵できるように構成してもよい。
【００６９】
（４）第４の実施形態
図２８は、第４の実施形態におけるＭＲＩ装置４００の斜視図である。図２９は、図２８に示すＭＲＩ装置４００を示し、図２９（ａ）は、磁場発生装置２を透視して見たときの上面図、図２９（ｂ）は、磁場発生装置２を透視して見たときの側面図である。
【００７０】
ＭＲＩ装置４００は、磁場発生装置２、テーブル３および３１、クレードル４などを有している。
【００７１】
テーブル３は、磁場発生装置２の前方に配置されており、もう一方のテーブル３１は、磁場発生装置２の後方に配置されている。
【００７２】
磁場発生装置２は、被検体が収容されるボア２１を有しており、超伝導コイル、勾配コイル、送信コイル（図示せず）が内蔵されている。また、磁場発生装置２は、クレードル４を支持するクレードル支持部材２５を有している。クレードル支持部材２５は、テーブル３とテーブル３１との間に挟まれている。クレードル４は、テーブル３、クレードル支持部材２５、およびテーブル３１を移動することができる。
【００７３】
クレードル支持部材２５は、受信コイルが装入される受信コイル装入部２６を有しており、受信コイル装入部２６は、磁場中心ＭＣの真下に位置している（図２９（ｂ）参照）。第４の実施形態では、複数の受信コイル５０１〜５０ｚが用意されており、受信コイル装入部２６は、複数の受信コイル５０１〜５０ｚのうちの任意の１個の受信コイルを装入することができるスペースを有している。したがって、オペレータ７は、複数の受信コイル５０１〜５０ｚの中から選択した１個の受信コイルを、受信コイル装入部２６に装入することができる。以下に、オペレータ７が、受信コイルを受信コイル装入部２６に装入する手順について説明する。
【００７４】
クレードル支持部材２５は、ボア２１の外側に引き出すことができるように構成されている（図３０および図３１参照）。
【００７５】
図３０は、クレードル支持部材２５がボア２１の外側に引き出された状態のＭＲＩ装置４００の斜視図である。図３１は、図３０に示すＭＲＩ装置４００を示し、図３１（ａ）は、磁場発生装置２を透視して見たときの上面図、図３１（ｂ）は、磁場発生装置２を透視して見たときの側面図である。
【００７６】
テーブル３１は、クレードル支持部材２５に連結されており、磁場発生装置２は、クレードル支持部材２５を摺動させるための摺動面２７（図３１参照）を有している。したがって、オペレータ７が、テーブル３１の手すり３１ａを握ってテーブル３１を引っ張ると、テーブル３１に連結されているクレードル支持部材２５が摺動面２７を摺動し、ボア２１の外側に引き出される。オペレータ７がテーブル３１を引っ張り続けることにより、受信コイル装入部２６の開口２６ａがボア２１の外側に現れる。したがって、オペレータ７は、複数の受信コイル５０１〜５０ｚの中から選択した受信コイルを、受信コイル装入部２６に装入することができる（図３２および図３３参照）。
【００７７】
図３２は、オペレータ７が受信コイルを受信コイル装入部２６に装入している途中のＭＲＩ装置４００の斜視図、図３３は、受信コイルを受信コイル装入部２６に装入し終わったときのＭＲＩ装置４００の斜視図である。
【００７８】
ここでは、オペレータ７は、複数の受信コイル５０１〜５０ｚの中から受信コイル５０１を選択したとする。オペレータ７は、選択した受信コイル５０１を受信コイル装入部２６に差し込み、受信コイル装入部２６の奥まで押し込む。オペレータ７が受信コイル５０１を押し込むことによって、受信コイル５０１を受信コイル装入部２６に装入することができる。尚、受信コイル装入部２６は、受信コイルを着脱自在に装入することができるように構成されている。したがって、オペレータ７が、誤って、受信コイル装入部２６に別の受信コイルを装入しても、正しい受信コイルに容易に交換することができる。
【００７９】
オペレータ７は、受信コイル装入部２６に受信コイル５０１を装入した後、クレードル支持部材２５を再びボア２１の内側に戻す（図３４および図３５）。
【００８０】
図３４は、クレードル支持部材２５をボア２１の内側に戻したときのＭＲＩ装置４００の斜視図である。図３５は、図３４に示すＭＲＩ装置４００を示し、図３５（ａ）は、磁場発生装置２を透視して見たときの上面図、図３５（ｂ）は、磁場発生装置２を透視して見たときの側面図である。
【００８１】
オペレータ７がテーブル３１を押すと、クレードル支持部材２５は摺動面２７（図３１参照）を摺動し、ボア２１の内側に戻る。したがって、受信コイル５０１を、磁場中心ＭＣの真下に取り付けることができる。受信コイル５０１を取り付けた後、オペレータ７は、被検体をクレードル４に寝かせてボア２１に搬入し、スキャンを行う。受信コイル５０１は、磁場中心ＭＣの真下に位置決めされているので、高品質な画像を得ることができる。スキャンが終了したら、次の被検体を撮影する準備をする。オペレータ７は、複数の受信コイル５０１〜５０ｚ（図１参照）の中から、次の被検体の撮影に使用する受信コイルを選択する。次の被検体の撮影でも受信コイル５０１を使用する場合、受信コイル５０１は既に受信コイル装入部２６に装入されているので、オペレータ７は、次の被検体をクレードル４に寝かせてボア２１内に搬送し、スキャンを行う。
【００８２】
一方、オペレータ７が、受信コイル５０１とは別の受信コイルを選択した場合、オペレータ７は、受信コイル装入部２６に装入した受信コイル５０１を、新たに選択した別の受信コイルに交換する。受信コイルを交換する場合、オペレータ７は、テーブル３１を引っ張って、受信コイル装入部２６をボア２１の外側に出し、受信コイル装入部２６から受信コイル５０１を取り外し、別の受信コイルを装入する。その後、テーブル３１を元の位置に戻すことにより、別の受信コイルを磁場中心ＭＣの真下に取り付けることができる。受信コイルを交換した後、オペレータ７は、次の被検体をクレードル４に寝かせてボア２１に搬入し、スキャンを行う。スキャンが終了したら、必要に応じて受信コイルを交換し、次のスキャンが行われる。
【００８３】
第４の実施形態では、クレードル支持部材２５に受信コイル装入部２６を設けることにより、受信コイルを磁場発生装置２に着脱自在に内蔵することができるようにしている。したがって、受信コイル５０１〜５０ｚの中から各撮影に適した受信コイルを選択して撮影することができ、また、受信コイルの交換も容易に行うことができる。
また、受信コイルは、磁場中心ＭＣの真下に位置決めされるので、高品質な画像を得ることができる。
【００８４】
（５）第５の実施形態
図３６は、第５の実施形態のＭＲＩ装置５００の斜視図である。図３７は、図３６のＭＲＩ装置５００を示し、図３６（ａ）は、磁場発生装置２を透視して見たときの上面図、図３６（ｂ）は、磁場発生装置２を透視して見たときの側面図である。
【００８５】
第５の実施形態のＭＲＩ装置５００は、第４の実施形態のＭＲＩ装置４００と同様に、クレードル支持部材２５を有している。したがって、受信コイル５０１〜５０ｚの中から選択された受信コイルを、磁場中心ＭＣの真下に取り付けることができる。しかし、第５の実施形態では、磁場中心ＭＣの真下だけでなく、磁場中心ＭＣの真上にも受信コイルを取り付けることができるように、受信コイルを着脱自在に収容する受信コイル収容部材２８を有している。以下に、受信コイル収容部材２８について説明する。
【００８６】
受信コイル収容部材２８は、クレードル支持部材２５の上部に設けられている。受信コイル収容部材２８とクレードル支持部材２５との間には、受信コイル収容部材２８をクレードル支持部材２５から所定の距離Ｄだけ離れた上部に保持するための保持アーム３０が備えられている。
【００８７】
受信コイル収容部材２８は、受信コイルが装入される受信コイル装入部２９を有しており、受信コイル装入部２９は磁場中心ＭＣの真上に位置している。第５の実施形態では、受信コイル５０１〜５０ｚの他に、受信コイル５１〜５ｚが用意されている。受信コイル装入部２９は、複数の受信コイル５１〜５ｚのうちの任意の１個の受信コイルを装入することができるスペースを有している。したがって、オペレータ７は、複数の受信コイル５１〜５ｚの中から選択した１個の受信コイルを、受信コイル装入部２９に装入することができる。以下に、オペレータ７が、受信コイルを受信コイル装入部２９に装入する手順について説明する。
【００８８】
オペレータ７は、先ず、クレードル支持部材２５および受信コイル収容部材２８をボア２１の外側に引き出す（図３８および図３９参照）。
【００８９】
図３８は、クレードル支持部材２５および受信コイル収容部材２８がボア２１の外側に引き出された状態のＭＲＩ装置５００の斜視図である。図３９は、図３８に示すＭＲＩ装置５００を示し、図３９（ａ）は、磁場発生装置２を透視して見たときの上面図、図３９（ｂ）は、磁場発生装置２を透視して見たときの側面図である。
【００９０】
テーブル３１は、クレードル支持部材２５に連結されており、受信コイル収容部材２８は、保持アーム３０によってクレードル支持部材２５に固定されている。したがって、オペレータ７が、テーブル３１の手すり３１ａを握ってテーブル３１を引っ張ると、テーブル３１に連結されているクレードル支持部材２５がボア２１の外側に引き出されるとともに、受信コイル収容部材２８もボア２１の外側に引き出される。オペレータ７がテーブル３１を引っ張り続けることにより、クレードル支持部材２５の受信コイル装入部２６の開口２６ａと、受信コイル収容部材２８の受信コイル装入部２９の開口２９ａが、ボア２１の外側に現れる。したがって、オペレータ７は、受信コイル装入部２６および２９に受信コイルを装入することができる（図４０参照）。
【００９１】
図４０は、受信コイルが装入されたＭＲＩ装置５００の斜視図である。
図４０では、クレードル支持部材２５には受信コイル５０１が装入されており、受信コイル収容部材２８には受信コイル５１が装入されている。オペレータ７は、受信コイル５１および５０１を装入した後、テーブル３１を押し、クレードル支持部材２５および受信コイル収容部材２８を再びボア２１の内側に戻す（図４１および図４２参照）。
【００９２】
図４１は、クレードル支持部材２５および受信コイル収容部材２８がボア２１の内側に戻ったときのＭＲＩ装置５００の斜視図である。図４２は、図４１に示すＭＲＩ装置５００を示し、図４２（ａ）は、磁場発生装置２を透視して見たときの上面図、図４２（ｂ）は、磁場発生装置２を透視して見たときの側面図である。
【００９３】
オペレータ７がテーブル３１を押すと、クレードル支持部材２５および受信コイル収容部材２８はボア２１の内側に戻る。したがって、受信コイル５０１は、磁場中心ＭＣの真下に取り付けられ、一方、受信コイル５１は、磁場中心ＭＣの真上に取り付けられる。受信コイル５１および５０１を取り付けた後、オペレータ７は、被検体をクレードル４に寝かせてボア２１に搬入し、スキャンが行われる。
【００９４】
第５の実施形態では、受信コイル収容部材２８に受信コイル装入部２９を設けることにより、受信コイルを磁場発生装置２に着脱自在に内蔵することができるようにしている。したがって、受信コイル５１〜５ｚの中から各撮影に適した受信コイルを選択して撮影することができ、また、受信コイルの交換も容易に行うことができる。
【００９５】
また、第５の実施形態では、２つの受信コイル収容部２６および２９を備え、受信コイルを磁場中心ＭＣの上下に位置決めできるようにしている。したがって、ＡＰ方向（前後方向）に関して、更に高品質な画像を得ることが可能となる。
【００９６】
（６）第６の実施形態
図４３は、第６の実施形態のＭＲＩ装置６００を示す斜視図である。図４４は、図４３のＭＲＩ装置６００を示し、図４４（ａ）は、正面図、図４４（ｂ）は、側面図、図４４（ｃ）は、磁場発生装置２の上部本体２０２を透視して見たときのＭＲＩ装置６００の上面図である。
【００９７】
ＭＲＩ装置６００は、オープン型のＭＲＩ装置である。ＭＲＩ装置６００は、磁場発生装置２００、テーブル３、クレードル４などを有している。
【００９８】
磁場発生装置２００は、下部本体２０１と、上部本体２０２と、支柱２０３とを有している。支柱２０３は、下部本体２０１と上部本体２０２とを連結する。また、下部本体２０１と上部本体２０２との間には、被検体が収容される収容空間２０４が形成されている。
【００９９】
収容空間２０４の上側の内壁（上部本体２０２の内壁）２０２ａには、受信コイル取付手段６０が設けられている。受信コイル取付手段６０は、第３の実施形態のＭＲＩ装置３００が有する受信コイル取付手段６０と同一構造である。受信コイル取付手段６０によって、受信コイルを収容空間２０４の内側に着脱自在に取り付けることができる。このように、本発明は、オーブン型のＭＲＩ装置にも適用することができる。
【０１００】
また、受信コイル取付手段６０を、上部本体２０２に内蔵してもよく、下部本体２０１に内蔵してもよい。
【符号の説明】
【０１０１】
２  磁場発生装置
３、３１  テーブル
４  クレードル
６、６０  受信コイル取付手段
２１  ボア
２３、２４  開閉扉
２５  クレードル支持部材
２６、２９  受信コイル装入部
２７  摺動面
２８  受信コイル収容部材
３０  保持アーム
６１、６０１  受信コイル支持ケース
６２、６０２  ガイドレール
６３  移動機構
１００、２００、３００、４００、５００、６００  ＭＲＩ装置
【図１】
2011206230.tif 000003
【図２】
2011206230.tif 000004
【図３】
2011206230.tif 000005
【図４】
2011206230.tif 000006
【図５】
2011206230.tif 000007
【図６】
2011206230.tif 000008
【図７】
2011206230.tif 000009
【図８】
2011206230.tif 000010
【図９】
2011206230.tif 000011
【図１０】
2011206230.tif 000012
【図１１】
2011206230.tif 000013
【図１２】
2011206230.tif 000014
【図１３】
2011206230.tif 000015
【図１４】
2011206230.tif 000016
【図１５】
2011206230.tif 000017
【図１６】
2011206230.tif 000018
【図１７】
2011206230.tif 000019
【図１８】
2011206230.tif 000020
【図１９】
2011206230.tif 000021
【図２１】
2011206230.tif 000022
【図２９】
2011206230.tif 000023
【図３１】
2011206230.tif 000024
【図３７】
2011206230.tif 000025
【図３９】
2011206230.tif 000026
【図４３】
2011206230.tif 000027
【図４４】
2011206230.tif 000028
【図２０】
2011206230.tif 000029
【図２２】
2011206230.tif 000030
【図２３】
2011206230.tif 000031
【図２４】
2011206230.tif 000032
【図２５】
2011206230.tif 000033
【図２６】
2011206230.tif 000034
【図２７】
2011206230.tif 000035
【図２８】
2011206230.tif 000036
【図３０】
2011206230.tif 000037
【図３２】
2011206230.tif 000038
【図３３】
2011206230.tif 000039
【図３４】
2011206230.tif 000040
【図３５】
2011206230.tif 000041
【図３６】
2011206230.tif 000042
【図３８】
2011206230.tif 000043
【図４０】
2011206230.tif 000044
【図４１】
2011206230.tif 000045
【図４２】
2011206230.tif 000046